(57)【要約】【課題】雨水により播種が流出し易い法面や荒廃地の緑化がより確実に行えるようにするための緑化促進用パネルを提供する。【解決手段】縦桟２と横桟３を格子状に組みつけて一体化した矩形状の格子体４と、該格子体４の四面に取付けられ、格子体下方に長く延ばして形成される枠体５とよりなり、枠体５端は、鋭く形成され、法面や荒廃地への差込みが容易に行えるようにして、設置したパネル１が移動しにくくすると共に、雨水が外部から浸入したり、パネル外へ種子と共に外部へ流出しにくくする。【選択図】図１
2006219927.tif 000002
【特許請求の範囲】
【請求項１】
枠と、該枠内を仕切って多数の区画を形成する仕切りよりなり、法面や荒廃地に設置される緑化促進用パネルであって、枠が上記仕切り下方に該仕切りより長く延びて形成されることを特徴とする緑化促進用パネル。
【請求項２】
矩形状の外枠と、該外枠内を仕切って多数の区画を形成する仕切りと、上記外枠を構成する各辺の上縁に引掛けて係止され、上記外枠下方に該外枠より長く延びて外枠の各辺にそれぞれ取付けられる鉤状断面の枠体とよりなることを特徴とする緑化促進用パネル。
【請求項３】
枠、または枠体の下端を法面や荒廃地への差込を容易にするため鋭く形成したことを特徴とする請求項１又は２記載の緑化促進用パネル。
【請求項４】
枠又は枠体が仕切り上方に仕切りより長く延びて形成されることを特徴とする請求項１〜３のいずれかの請求項に記載の緑化促進用パネル。
【請求項５】
急傾斜の法面に設置されるパネルであって、枠又は枠体下端にパネルを支持する一定長さないし幅の脚をヒンジによって回動可能に取付けたことを特徴とする請求項１〜４のいずれかの請求項に記載の緑化促進用パネル。
【請求項６】
脚が枠又は枠体に取外し可能に取付けられることを特徴とする請求項５記載の緑化促進用パネル。
【発明の詳細な説明】
【技術分野】
【０００１】
本発明は、法面ないし傾斜地（以下、単に法面という）や荒廃地の緑化工法に用いるのに適した格子状のパネルに関する。
【背景技術】
【０００２】
法面や荒廃地では、植生のため播種しても種子が風雨によって流出しがちで、生育しにくい。本出願人は、先に特願２００４−２３３９６４号において、砂地の緑化を促進するための工法に用いられる格子状のパネルについて提案した。このパネルによると、砂地に設置することによりパネル内に播種した種子や土砂が風雨によって流出されるのが抑制され、砂地の緑化が促進される効果がある。
【発明の開示】
【発明が解決しようとする課題】
【０００３】
本発明は、上述するパネルについて改良を加え、雨水により播種が流出し易い法面や荒廃地の緑化がより確実に行えるようにするための緑化促進用パネルを提供することを目的とする。
【課題を解決するための手段】
【０００４】
請求項１に係る発明のパネルは、枠と、該枠内を仕切って多数の区画を形成する仕切りよりなり、法面や荒廃地に設置される緑化促進用パネルであって、枠が上記仕切り下方に該仕切りより長く延びて形成されることを特徴とし、
請求項２に係る発明のパネルは、矩形状の外枠と、該外枠内を仕切って多数の区画を形成する仕切りと、上記外枠を構成する各辺の上縁に引掛けて係止され、上記外枠下方に該外枠より長く延びて外枠の各辺にそれぞれ取付けられる鉤状断面の枠体とよりなることを特徴とする。
【０００５】
上記各発明の枠又は外枠を仕切る仕切りによって形成される各区画は、例えば矩形状、六角形等の多角形、円弧状をなすもので、区画が例えば矩形状をなすパネルは格子状、六角形をなすパネルはハニカム状を呈すようになる。
【０００６】
上述する各発明のパネルには、好ましくは例えば鉄のようなリサイクル材を用いてリサイクルできるようにされるか、一定期間使用すると腐食したり、劣化して分解する材料を用いるのが望ましい。
【０００７】
請求項３に係る発明のパネルは、請求項１又は２に係る発明において、枠、または枠体の下端を法面や荒廃地への差込を容易にするため鋭く形成したことを特徴とし、
請求項４に係わる発明は、請求項１ないし３に係わる発明において、枠又は枠体が仕切り上方に仕切りより長く延びて形成されることを特徴とする。
【０００８】
請求項５に係る発明のパネルは、急傾斜の法面に設置されるパネルであって、請求項１〜３に係る発明において、枠又は枠体にパネルを支持する一定長さないし幅の脚をヒンジによって回動可能に取付けたことを特徴とし、
請求項６に係わる発明は、請求項５に係わる発明の脚が枠又は枠体に取外し可能に取付けられることを特徴とする。
【０００９】
本発明において用いる脚は、例えば一ないし複数のロッド、フォーク状をなす多数のロッド、格子状又は孔のないプレートなどで構成される。
【発明の効果】
【００１０】
請求項１に係る発明のパネルによると、法面や荒廃地には枠だけが接地することが可能で、パネル全体が設置するのと比べ、接地面積が少ないため、枠が法面や荒廃地に食い込み易くなり、食い込みによりパネルが移動しにくくなると共に、法面や荒廃地に多少の凹凸があっても枠が接地し易くなり、枠の接地により外部から雨水が浸入して水路を形成したり、パネル内を洗掘し、これにより雨水が種子と共に流出する、といった問題が生じにくくなること、パネル内に降り注いだ雨水により保水性が高まって植物の育成がより確実に行えるようになること、等の効果を奏する。また，雨水は一旦地下に浸透した後に下方にて表面水となって流出するため，降雨直後に直接表面を流出する場合に比べて，流出時間が遅くなるため，洪水等の発生を抑制することが出来る。
【００１１】
請求項２に係る発明のパネルによると、既存のパネルにも枠体を取付けることが可能であり、これにより上述する請求項１に係る発明と同様の効果を奏するようになる。
請求項３に係る発明のパネルによると、枠又は枠体先端を法面や荒廃地に差し込むことにより、外部から雨水が浸入したり、パネル内の雨水が流出するのをより確実に抑制することができるようになり、植物の育成をより確実に行うことができる。
【００１２】
軟弱な地盤において、地山の肌落ちが懸念される場合、パネル上にオーバーフローした土砂が進入、堆積、流出し土砂の移動を防止することができないが、請求項４に係わる発明のパネルによると、枠又は枠体の高さを高くすることにより、土砂の侵入、堆積、流出と言った一連の移動を抑止する事が可能となる。
【００１３】
請求項５に係る発明のパネルは、枠又は枠体下端の脚を側方に伸ばして急傾斜の法面に立て掛けて取付けられるが、側方に延びる脚が接地することにより、法面に立て掛けるだけで取付けることができ、パネルが法面よりずり落ちることはないため、パネルを法面に取付けるためにアンカー等で固定する必要もない。
この場合の枠の固定方法は，枠体下端の脚にアンカ−挿入用の孔を加工しておき，これに挿入して固定しても良い。
【００１４】
請求項６に係わる発明のパネルによると、不要時には脚を取外して邪魔にならないようにすることができる。
【発明を実施するための最良の形態】
【００１５】
図１は、本発明に係る緑化促進用のパネル１について示すもので、全体が鋼製又はプラスチック製で、仕切りとしての縦桟２と横桟３を格子状に組みつけて一体化し、矩形状の多数の区画を形成した矩形状の格子体４と、該格子体４の四辺に取付けられ、格子体下方に長く延ばして形成される枠５とよりなり、枠下端は、図２に示すように法面や荒廃地への差込を容易にするため鋭く形成されている。
【００１６】
上述する区画は矩形状をなしているが、五角形、六角形、その他の多角形、或いは円弧状など任意の形態にすることができ、その形状はとくに限定されるものではない。
図３は、図１に示すパネル１の枠下端を畦６の斜面に差込んで取付けた例を示すもので、パネル１を通して植生が行われている態様を示している。
【００１７】
図４は、パネルを構成する鉤状断面の枠体７を示すもので、仕切りとしての縦桟又は横桟に差し込まれる切込み溝９が縦桟又は横桟と同一ピッチで形成してあり、図５に示すように枠体７と共にパネルを構成する矩形状の枠体８の各辺の上縁に縦桟又は横桟が切込み溝９内に嵌るようにして引掛けて取付けられる。
本実施形態の縦桟及び横桟と外枠８よりなる格子体４には既存の枠体、例えばグレーチングを用いることができる。
【００１８】
図６は、図５に示す上記格子体４の外枠８に、プレート状の脚１１をヒンジ１２によって回動可能に取り付けた凹形断面の取付部１４を嵌め込んで取外し可能に取付けたパネル１３について示すもので、図７に示すように畦６の斜面に取付けるときには、脚１１を耕作地１５の上に置いて、パネル１３を畦６の斜面に立て掛けることにより取付けられる。本実施形態のパネルによれば、畦６の斜面に立て掛けられた状態で、脚１１が耕作地１５の上に置かれることによりパネル１３のずり落ちが防止される。
【００１９】
図８は、上述するプレート状の脚１１を図１に示すタイプのパネル１の中間部に直接取付けたパネル１７について示すもので、図７に示すように畦６の斜面に取付けるときには、脚１１を耕作地１５の上に置いて、パネル１７の枠体下端を畦６の斜面に差込むことにより行われる。
【００２０】
本実施形態のパネルによれば、パネル１７は枠体下端を畦６の斜面に差込んで取付けられると共に、脚１１が耕作地１５上に置かれることによりパネル１７のずり落ちが防止された状態でしっかりと固定される。
【００２１】
図９に示すパネル１９は、図１に示すパネル１において、枠５を格子体上方にも長く伸ばして形成したもので、本実施形態のパネルによると、地山の肌落ちが懸念されるような設置箇所においても、パネル内への土砂の侵入や堆積或いはパネル外への土砂の流出といった移動を抑止することが可能となる。
【産業上の利用可能性】
【００２２】
本発明のパネルは、法面や荒廃地の緑化のため、法面や荒廃地に設置される。
【図面の簡単な説明】
【００２３】
【図１】本発明に係る緑化促進用パネルの斜視図。
【図２】図１に示す緑化促進用パネルの要部の断面図。
【図３】畦に取付けた緑化促進用パネルの斜視図。
【図４】枠体の一部を示す斜視図。
【図５】図４に示す枠体を取付けた緑化促進用パネルの断面図。
【図６】緑化促進用パネルの別の例の一部の斜視図。
【図７】図６に示す緑化促進用パネルを畦に取付けた状態を示す斜視図。
【図８】緑化促進用パネルの更に別の例の一部の斜視図。
【図９】緑化促進用パネルの他の例の一部の斜視図。
【符号の説明】
【００２４】
１、１３、１７、１９・・緑化促進用パネル
２・・縦桟
３・・横桟
４・・格子体
５、７・・枠体
６・・畦
８・・外枠
９・・切込み溝
１１・・脚
１２・・ヒンジ
１５・・耕作地
【図１】
2006219927.tif 000003
【図２】
2006219927.tif 000004
【図３】
2006219927.tif 000005
【図４】
2006219927.tif 000006
【図５】
2006219927.tif 000007
【図６】
2006219927.tif 000008
【図７】
2006219927.tif 000009
【図８】
2006219927.tif 000010
【図９】
2006219927.tif 000011